(57)【要約】【課題】  エンコーダの動作周波数を低く抑える。【解決手段】  音声情報をメモリに書き込み、前記音声情報を前記メモリから読み出す制御を行うメモリ制御部と、前記メモリから読み出される前記音声情報を順次バッファリングする入力バッファと、前記入力バッファから入力される前記音声情報をエンコードして記録媒体に記録するエンコーダと、前記入力バッファの使用率が第１の基準値に達した場合には、前記メモリ制御部が前記音声情報を前記メモリから読み出して前記入力バッファに転送する転送動作を停止させ、前記入力バッファの使用率が前記第１の基準値より低い第２の基準値に達した場合には、前記転送動作を再開させる転送制御部と、を有する。【選択図】  図１
2010198671.tif 000002
【特許請求の範囲】
【請求項１】
音声情報をメモリに書き込み、前記音声情報を前記メモリから読み出す制御を行うメモリ制御部と、
前記メモリから読み出される前記音声情報を順次バッファリングする入力バッファと、
前記入力バッファから入力される前記音声情報をエンコードして記録媒体に記録するエンコーダと、
前記入力バッファの使用率が第１の基準値に達した場合には、前記メモリ制御部が前記音声情報を前記メモリから読み出して前記入力バッファに転送する転送動作を停止させ、前記入力バッファの使用率が前記第１の基準値より低い第２の基準値に達した場合には、前記転送動作を再開させる転送制御部と、
を有することを特徴とする音声情報記録装置。
【請求項２】
光ディスクに記録されている記録情報を読み出して前記音声情報を生成する音声情報生成部をさらに有することを特徴とする請求項１に記載の音声情報記録装置。
【請求項３】
前記音声情報生成部は、前記光ディスクから前記記録情報を１倍速より速い速度で読み出して前記音声情報を生成することを特徴とする請求項２に記載の音声情報記録装置。
【請求項４】
マイクロホンに入力される音声に応じて前記音声情報を生成する音声情報生成部をさらに有することを特徴とする請求項１に記載の音声情報記録装置。
【請求項５】
前記記録媒体は、フラッシュメモリであることを特徴とする請求項１ないし請求項４の何れかに記載の音声情報記録装置。
【発明の詳細な説明】
【技術分野】
【０００１】
本発明は、音声情報記録装置に関する。
【背景技術】
【０００２】
例えば図７に示すように、ＣＤ規格の光ディスク１から記録情報を読み出してスピーカ６などから音声を出力する光ディスク再生装置では、メモリ制御部５１に入力されるデジタル音声情報ＡＦｄを一旦メモリ５３に書き込み、当該デジタル音声情報ＡＦｄをメモリ５３から読み出してＤＡ（デジタル・アナログ）変換部５２に転送することによって、アンチショック（ショックプルーフ）機能と呼ばれる耐衝撃性・耐振動性を備えたものが一般に知られている。例えば、特許文献１においては、アンチショック機能によって生じる再生表示のずれを補正する光ディスク再生処理回路およびその表示再生方法が開示されている。
【０００３】
このようにして、音声情報を一時的に記憶するメモリと当該メモリを制御するメモリ制御部とを有することによって、光ディスク再生装置に衝撃や振動が加わった場合の音とびの発生を防止することができる。
【先行技術文献】
【特許文献】
【０００４】
【特許文献１】特開２００４−３５５６８３号公報
【発明の概要】
【発明が解決しようとする課題】
【０００５】
近年、ＭＰ３（MPEG Audio Layer-3）などのファイル形式でエンコード（圧縮）されたデジタル音声情報（以下、圧縮音声情報と称する）をフラッシュメモリに記録し、再生することができる、携帯型オーディオプレーヤ（音声再生装置）が普及している。当該圧縮音声情報は、パーソナルコンピュータを用いて、ソフトウェア処理によって作成したり、インターネット経由で購入したりすることができるが、図７に示したような光ディスク再生装置から携帯型オーディオプレーヤのフラッシュメモリに直接記録できることが利便性の観点からも望ましい。
【０００６】
しかしながら、音声情報のエンコードに要する時間は一定ではなく、例えば、音声情報が音楽の場合と朗読の場合とで異なり、さらに、１曲の音楽でも歌詞部分と間奏部分とで異なるため、事前にワーストケースを調べ、当該ワーストケースに応じてエンコーダの動作周波数を十分に高くする必要がある。
【０００７】
そのため、エンコーダは常にワーストケースに応じた高い動作周波数で動作し、消費電流が大きくなる。また、光ディスクから記録情報を１倍速より速い速度で読み出して音声情報をエンコードさせようとしても、エンコーダの動作周波数が当該読み出し速度におけるワーストケースに対応できない場合もある。
【課題を解決するための手段】
【０００８】
前述した課題を解決する主たる本発明は、音声情報をメモリに書き込み、前記音声情報を前記メモリから読み出す制御を行うメモリ制御部と、前記メモリから読み出される前記音声情報を順次バッファリングする入力バッファと、前記入力バッファから入力される前記音声情報をエンコードして記録媒体に記録するエンコーダと、前記入力バッファの使用率が第１の基準値に達した場合には、前記メモリ制御部が前記音声情報を前記メモリから読み出して前記入力バッファに転送する転送動作を停止させ、前記入力バッファの使用率が前記第１の基準値より低い第２の基準値に達した場合には、前記転送動作を再開させる転送制御部と、を有することを特徴とする音声情報記録装置である。
【０００９】
本発明の他の特徴については、添付図面及び本明細書の記載により明らかとなる。
【発明の効果】
【００１０】
本発明によれば、エンコーダの動作周波数を低く抑えることができ、特に、光ディスクからの読み出し速度を速くした場合でもエンコーダの動作周波数を低く抑えることができる。
【図面の簡単な説明】
【００１１】
【図１】本発明の第１実施形態における音声情報記録装置全体の構成を示すブロック図である。
【図２】音声情報記録部７の詳細構成の一例を示す回路ブロック図である。
【図３】メモリ制御部７１から音声情報が入力される場合の入力バッファ７２の動作を説明する図である。
【図４】エンコーダ７３に音声情報が出力される場合の入力バッファ７２の動作を説明する図である。
【図５】音声情報記録部７の動作の一例を説明する図である。
【図６】本発明の第２実施形態における音声情報記録装置全体の構成を示すブロック図である。
【図７】一般的な光ディスク再生装置の構成の一例を示すブロック図である。
【発明を実施するための形態】
【００１２】
本明細書および添付図面の記載により、少なくとも以下の事項が明らかとなる。
【００１３】
＜第１実施形態＞
＝＝＝音声情報記録装置全体の構成および動作＝＝＝
以下、図１を参照して、本発明の第１の実施形態における音声情報記録装置全体の構成について説明する。
【００１４】
図１に示されている音声情報記録装置は、例えば、表示装置１１が接続されたマイクロコンピュータ１０の制御によって、光ディスク１から記録情報を読み出して、圧縮音声情報を記録媒体９に記録する装置であり、スピンドルモータ２、ピックアップ３、音声情報生成部４、オーディオ処理部５、スピーカ６、音声情報記録部７、およびメモリ８を含んで構成されている。なお、図１においては、音声情報生成部４および音声情報記録部７と、マイクロコンピュータ１０との間で信号を送受信するためのインタフェース部は省略するものとする。
【００１５】
スピンドルモータ２によって回転する光ディスク１は、ピックアップ３によって記録情報が読み取られ、当該記録情報は、電気信号に変換されて音声情報生成部４に入力されている。
【００１６】
音声情報生成部４は、マイクロコンピュータ１０によって制御され、例えばＲＦ（Radio Frequency：高周波）信号生成部４１、エラー信号生成部４２、サーボ制御部４３、ＥＦＭ（Eight to Fourteen Modulation）復調部４４、誤り訂正部４５、およびサブコード検出部４６を含んで構成されている。ＲＦ信号生成部４１には、ピックアップ３の出力信号が入力され、ＲＦ信号生成部４１の出力信号は、エラー信号生成部４２およびＥＦＭ復調部４４に入力されている。また、サーボ制御部４３には、エラー信号生成部４２の出力信号が入力され、サーボ制御部４３の出力信号は、スピンドルモータ２およびピックアップ３を制御するための制御信号となっている。さらに、ＥＦＭ復調部４４の出力信号は、誤り訂正部４５およびサブコード検出部４６に入力され、誤り訂正部４５の出力信号は、デジタル音声情報ＡＦｄとしてオーディオ処理部５および音声情報記録部７に入力されている。
【００１７】
本実施形態におけるオーディオ処理部５は、例えば図７に示した一般的な光ディスク再生装置のオーディオ処理部５と同様の構成となっており、出力信号がアナログ音声信号ＡＦａとしてスピーカ６に入力されている。
【００１８】
音声情報記録部７は、マイクロコンピュータ１０によって制御され、本実施形態では、例えばメモリ制御部７１、入力バッファ７２、エンコーダ７３、および転送制御部７４で構成されている。メモリ８が接続されたメモリ制御部７１には、デジタル音声情報ＡＦｄが入力され、メモリ制御部７１の出力信号は、エンコーダ７３に接続された入力バッファ７２に入力されている。また、転送制御部７４には、入力バッファ７２の使用量を示すカウント値ＣＮＴが入力され、転送制御部７４の出力信号は、メモリ制御部７１がデジタル音声情報ＡＦｄをメモリ８から読み出して入力バッファ７２に転送する転送動作を制御するための転送制御信号ＴＣとなっている。そして、エンコーダ７３の出力信号は、圧縮音声情報ＡＦｅとして記録媒体９に入力されている。
【００１９】
次に、本実施形態における音声情報記録装置全体の動作について説明する。  
ピックアップ３は、スピンドルモータ２によって回転している光ディスク１の記録面にレーザ光を照射し、当該記録面に螺旋状に形成された記録トラックからの反射光に応じて、記録情報を電気信号に変換して出力する。
【００２０】
音声情報生成部４のＲＦ信号生成部４１は、ピックアップ３から出力される電気信号に基づいてＲＦ信号を生成する。また、エラー信号生成部４２は、ＲＦ信号に基づいて、ピックアップ３のレンズから光ディスク１の記録面までの距離とピックアップ３から出力されるレーザ光の焦点距離とのずれを示すフォーカスエラー信号や、所望の記録トラック位置とレーザ光の照射位置とのずれを示すトラッキングエラー信号などを生成する。そして、サーボ制御部４３は、マイクロコンピュータ１０などの制御に従ってレーザ光の照射位置を所望の記録トラック位置に移動させるとともに、フォーカスエラー信号やトラッキングエラー信号などに基づいてレーザ光の焦点距離や照射位置を補正するように、スピンドルモータ２およびピックアップ３を制御する。
【００２１】
一方、ＲＦ信号はＥＦＭ復調部４４にも入力され、ＥＦＭ復調部４４は、ＲＦ信号を２値情報に変換したうえで、ＥＦＭ変調されている当該２値情報を１フレームごとに復調する。なお、当該復調された１フレームには、ＣＩＲＣ（Cross Interleaved Reed-Solomon Code）方式で符号化されている３２バイト分の音声情報および誤り訂正コードと、１バイト（８ビット）分のサブコードとが含まれる。また、誤り訂正部４５は、１フレームごとに、２４バイト（６サンプル）分の音声情報に対して、８バイト分の誤り訂正コードを用いて誤り訂正処理を行い、デジタル音声情報ＡＦｄとして出力する。さらに、サブコード検出部４６は、１セクタ（９８フレーム）に含まれるサブコードをビットごとに分割し、８（ＰないしＷ）チャンネル分のサブコード情報を生成する。そして、マイクロコンピュータ１０は、当該サブコード情報に含まれるトラック番号、時間情報、ＣＤ−ＴＥＸＴ情報などを表示部１１に表示する。
【００２２】
図７に示した一般的な光ディスク再生装置の場合と同様に、オーディオ処理部５は、デジタル音声情報ＡＦｄをアナログ音声信号ＡＦａに変換し、スピーカ６は、アナログ音声信号ＡＦａを音声に変換して出力する。
【００２３】
一方、デジタル音声情報ＡＦｄは音声情報記録部７にも入力され、音声情報記録部７は、転送制御部７４によってメモリ制御部７１の転送動作を制御しつつ、入力バッファ７２に記憶されているデジタル音声情報ＡＦｄをエンコーダ７３においてエンコードしたうえで、圧縮音声情報ＡＦｅを記録媒体９に記録する。なお、音声情報記録部７の動作についての詳細な説明は後述する。
【００２４】
＝＝＝音声情報記録部の構成および動作＝＝＝
以下、図２を参照して、音声情報記録部７の構成について説明する。  
図２に示されている音声情報記録部７は、例えばメモリ制御部７１、入力バッファ７２、エンコーダ７３、および転送制御部７４を含んで構成されており、転送制御部７４の詳細構成を除いて、図１に示した音声情報記録部７と同様の構成となっている。また、転送制御部７４は、本実施形態では、例えばコンパレータ（比較器）７４１、７４２、ＲＳＦＦ（ＲＳ型フリップフロップ）７４３、ＮＡＮＤ回路（否定論理積回路）７４４、およびＡＮＤ回路（論理積回路）７４５で構成されている。
【００２５】
コンパレータ７４１の非反転入力およびコンパレータ７４２の反転入力には、入力バッファ７２の使用量を示すカウント値ＣＮＴが入力され、コンパレータ７４１の反転入力には、上限判定値Ｒｏｖが入力され、コンパレータ７４２の非反転入力には、下限判定値Ｒｕｎが入力されている。なお、上限判定値Ｒｏｖおよび下限判定値Ｒｕｎは、入力バッファ７２の全バッファ量Ｆｕｌｌに基づいて、マイクロコンピュータ１０やエンコーダ７４などによって設定され、０＜Ｒｕｎ＜Ｒｏｖ＜Ｆｕｌｌの関係にあるものとする。また、ＲＳＦＦ７４３は、Ｓ入力（セット入力）およびＲ入力（リセット入力）に、それぞれコンパレータ７４１および７４２の出力信号が入力され、非反転出力信号が、メモリ制御部７１の転送動作を停止するための転送停止信号Ｔｓｔとなっている。さらに、ＮＡＮＤ回路７４４の一方の入力には転送停止信号Ｔｓｔが、他方の入力にはマイクロコンピュータ１０から制御イネーブル信号ＥＮｃが、それぞれ入力されている。そして、ＡＮＤ回路７４５の一方の入力にはＮＡＮＤ回路７４４の出力信号が、他方の入力にはマイクロコンピュータ１０から転送イネーブル信号ＥＮｔが、それぞれ入力され、ＡＮＤ回路７４５の出力信号は、転送制御信号ＴＣとして転送制御部７４から出力されている。
【００２６】
次に、音声情報記録部７の動作について説明する。なお、転送制御部７４によるメモリ制御部７１の転送動作の制御については後述することとし、まず、制御イネーブル信号ＥＮｃがロー・レベルであり、転送制御部７４による当該転送動作の制御が行われない場合の動作について説明する。この場合、当該転送動作を制御するための転送制御信号ＴＣは、マイクロコンピュータ１０から出力される転送イネーブル信号ＥＮｔのみによって決定される。
【００２７】
メモリ制御部７１は、音声情報生成部４から入力されるデジタル音声情報ＡＦｄを順次メモリ８に書き込む。また、マイクロコンピュータ１０は、メモリ８が使用されている場合、すなわち、メモリ８にデジタル音声情報ＡＦｄが記憶されている場合に、ハイ・レベルの転送イネーブル信号ＥＮｔを出力することによって、転送制御信号ＴＣをハイ・レベルとする。さらに、メモリ制御部７１は、転送制御信号ＴＣがハイ・レベルの場合に、書き込まれた順序でデジタル音声情報ＡＦｄを順次メモリ８から読み出し、入力バッファ７２に転送する。
【００２８】
ここで、メモリ８から入力バッファ７２への転送速度は、光ディスク１からの読み出し速度によって決定され、例えばＣＤ−ＤＡ（音楽用ＣＤ）規格の光ディスク１から記録情報を１倍速で読み出す場合、当該転送速度は、
４４１００Ｈｚ×１６ｂｉｔ×２ｃｈ≒１．４１Ｍｂｐｓ
となる。同様に、光ディスク１からの読み出し速度を例えば２倍速とした場合の転送速度は、２．８２Ｍｂｐｓとなり、例えば４倍速とした場合の転送速度は、５．６４Ｍｂｐｓとなる。したがって、メモリ８から入力バッファ７２へのデジタル音声情報ＡＦｄの転送、すなわち、入力バッファ７２への入力のみを考慮した場合、入力バッファ７２の使用量を示すカウント値ＣＮＴは、例えば図３に示すように、光ディスク１からの読み出し速度に応じて、一定の傾きで増加する。なお、図３において、実線、長破線、および短破線は、光ディスク１からの読み出し速度がそれぞれ１倍速、２倍速、および４倍速の場合を示している。
【００２９】
エンコーダ７３は、入力バッファ７２に転送され、記憶されているデジタル音声情報ＡＦｄを、例えば１セクタなどの所定のサイズごとに取得し、ＭＰ３などのファイル形式でエンコードしたうえで、圧縮音声情報ＡＦｅをフラッシュメモリなどの記録媒体９に記録する。
【００３０】
ここで、エンコーダ７３による入力バッファ７２からの所定のサイズ分の取得速度は、メモリ８から入力バッファ７２への転送速度に対して十分に速く、当該取得されたサイズ分のエンコードおよび記録媒体９への記録が終了するまでの間、次の取得は行われない。したがって、エンコーダ７３による入力バッファ７２からのデジタル音声情報ＡＦｄの取得、すなわち、入力バッファ７２からの出力のみを考慮した場合、入力バッファ７２の使用量を示すカウント値ＣＮＴは、例えば図４に示すように、階段状に減少する。なお、図４において、カウント値ＣＮＴが一定となっている期間は、エンコードおよび記録媒体９への記録に要する時間（以下、エンコード時間と称する）を示しており、取得されたサイズ分のデジタル音声情報ＡＦｄの内容によって変化する。
【００３１】
このようにして、メモリ制御部７１は、デジタル音声情報ＡＦｄを順次メモリ８から入力バッファ７２に転送し、エンコーダ７３は、入力バッファ７２からデジタル音声情報ＡＦｄを所定のサイズごとに取得し、エンコードしたうえで、圧縮音声情報ＡＦｅを記録媒体９に記録する。しかしながら、エンコーダ７３にエンコード時間が長いデジタル音声情報ＡＦｄが入力されることによって入力バッファ７２からの平均出力速度が遅くなった場合や、光ディスク１からの読み出し速度を速くすることによって入力バッファ７２への入力速度が速くなった場合には、入力バッファ７２がオーバーフローし、圧縮音声情報ＡＦｅに欠落が生じる場合がある。本実施形態の音声情報記録装置では、転送制御部７４がメモリ制御部７１の転送動作を制御することによって、入力バッファ７２のオーバーフローおよび圧縮音声情報ＡＦｅの欠落を防止している。以下、図２および図５を参照して、制御イネーブル信号ＥＮｃがハイ・レベルであり、転送制御部７４による上記転送動作の制御が行われる場合の動作について説明する。
【００３２】
音声情報生成部４が光ディスク１からの読み出しを開始する前の初期状態において、メモリ８にはデジタル音声情報ＡＦｄが記憶されていないため、マイクロコンピュータ１０は、ロー・レベルの転送イネーブル信号ＥＮｔを出力することによって、転送制御信号ＴＣをロー・レベルとする。また、当該初期状態において、入力バッファ７２にもデジタル音声情報ＡＦｄが記憶されていない、すなわち、入力バッファ７２の使用量を示すカウント値ＣＮＴが０であるため、ＲＳＦＦ７４３は、Ｓ入力がロー・レベル、Ｒ入力がハイ・レベルとなり、転送停止信号Ｔｓｔは、ロー・レベルとなる。
【００３３】
音声情報生成部４が光ディスク１からの読み出しを開始すると、マイクロコンピュータ１０は、ハイ・レベルの転送イネーブル信号ＥＮｔを出力することによって、転送制御信号ＴＣをハイ・レベルとする。また、メモリ制御部７１は、ハイ・レベルの転送制御信号ＴＣによって、メモリ８から入力バッファ７２へのデジタル音声情報ＡＦｄの転送を開始し、前述したように、カウント値ＣＮＴは、一定の傾きで増加する。一方、エンコーダ７３は、入力バッファ７２からデジタル音声情報ＡＦｄを所定のサイズごとに取得するため、カウント値ＣＮＴは、当該取得されたサイズ分のエンコード時間に応じて変化する周期で、階段状に減少する。このようにして、入力バッファ７２への入力および入力バッファ７２からの出力を繰り返すことによって、カウント値ＣＮＴは、一定の傾きでの増加と、一定でない周期での減少とを繰り返す。
【００３４】
例えば、エンコーダ７３にエンコード時間が長いデジタル音声情報ＡＦｄが入力されると、カウント値ＣＮＴが次に減少するまでの周期が長くなるため、カウント値ＣＮＴは入力バッファ７２の全バッファ量Ｆｕｌｌに近づき、入力バッファ７２の使用率（＝ＣＮＴ／Ｆｕｌｌ）は１００％に近づいていく。また、光ディスク１からの読み出し速度を速くした場合も、入力バッファ７２の使用率は１００％に近づいていく。そして、カウント値ＣＮＴが上限判定値Ｒｏｖに達すると、すなわち、入力バッファ７２の使用率がＲｏｖ／Ｆｕｌｌ（第１の基準値）に達すると、ＲＳＦＦ７４３は、Ｓ入力がハイ・レベル、Ｒ入力がロー・レベルとなり、転送停止信号Ｔｓｔは、ハイ・レベルとなるため、転送制御信号ＴＣは、ロー・レベルとなる。
【００３５】
転送制御信号ＴＣがロー・レベルとなると、メモリ制御部７１は、メモリ８から入力バッファ７２へのデジタル音声情報ＡＦｄの転送を停止するため、カウント値ＣＮＴは、増加しなくなり、エンコーダ７３による入力バッファ７２からのデジタル音声情報ＡＦｄの取得のタイミングで減少する。そして、カウント値ＣＮＴが下限判定値Ｒｕｎに達すると、すなわち、入力バッファ７２の使用率がＲｕｎ／Ｆｕｌｌ（第２の基準値）に達すると、ＲＳＦＦ７４３は、Ｓ入力がロー・レベル、Ｒ入力がハイ・レベルとなり、転送停止信号Ｔｓｔは、再びロー・レベルとなるため、転送制御信号ＴＣは、再びハイ・レベルとなる。
【００３６】
転送制御信号ＴＣが再びハイ・レベルとなると、メモリ制御部７１は、メモリ８から入力バッファ７２へのデジタル音声情報ＡＦｄの転送を再開し、以降は、再び入力バッファ７２への入力および入力バッファ７２からの出力を繰り返す。
【００３７】
このようにして、入力バッファ７２の使用量を示すカウント値ＣＮＴが上限判定値Ｒｏｖに達した場合には、転送制御信号ＴＣをロー・レベルとし、メモリ制御部７１がデジタル音声情報ＡＦｄをメモリ８から読み出して入力バッファ７２に転送する転送動作を停止させ、カウント値ＣＮＴが下限判定値Ｒｕｎに達した場合には、転送制御信号ＴＣをハイ・レベルとし、当該転送動作を再開させることによって、入力バッファ７２のオーバーフローおよび圧縮音声情報ＡＦｅの欠落を防止することができる。したがって、エンコーダ７３をワーストケースに応じた高い動作周波数で動作させる必要がなく、消費電流を抑えることができる。
【００３８】
＜第２実施形態＞
＝＝＝音声情報記録装置全体の構成および動作＝＝＝
以下、図６を参照して、本発明の第２の実施形態における音声情報記録装置全体の構成について説明する。
【００３９】
図６に示されている音声情報記録装置は、例えば、表示装置１１が接続されたマイクロコンピュータ１０の制御によって、マイクロホン１２に入力された音声を変換して、圧縮音声情報を記録媒体９に記録する装置であり、音声情報生成部１３、音声情報記録部７、およびメモリ８を含んで構成されている。なお、図６においては、音声情報記録部７とマイクロコンピュータ１０との間で信号を送受信するためのインタフェース部は省略するものとする。
【００４０】
音声情報生成部１３には、マイクロホン１２から出力されるアナログ音声信号ＡＦａが入力され、音声情報生成部１３の出力信号は、デジタル音声情報ＡＦｄとして音声情報記録部７に入力されている。
【００４１】
本実施形態における音声情報記録部７は、第１実施形態の音声情報記録部７と同様の構成となっており、マイクロコンピュータ１０によって制御され、メモリ制御部７１にメモリ８が接続され、そして、エンコーダ７３の出力信号が圧縮音声情報ＡＦｅとして記録媒体９に入力されている。
【００４２】
次に、本実施形態における音声情報記録装置全体の動作について説明する。  
マイクロホン１２は、入力された音声をアナログ音声信号ＡＦａに変換する。また、音声情報生成部１３は、ＡＤ（アナログ・デジタル）変換回路などを用いて、アナログ音声信号ＡＦａをデジタル音声情報ＡＦｄに変換する。
【００４３】
音声情報記録部７は、第１実施形態の音声情報記録部７と同様に、転送制御部７４によってメモリ制御部７１の転送動作を制御しつつ、入力バッファ７２に記憶されているデジタル音声情報ＡＦｄをエンコーダ７３においてエンコードしたうえで、圧縮音声情報ＡＦｅを記録媒体９に記録する。また、マイクロコンピュータ１０は、圧縮音声情報ＡＦｅの記録時間などを表示部１１に表示する。
【００４４】
このようにして、ＩＣレコーダやデジタルボイスレコーダなどと呼ばれる音声情報記録装置においても、入力バッファ７２のオーバーフローおよび圧縮音声情報ＡＦｅの欠落を防止することができる。
【００４５】
前述したように、音声情報記録部７において、入力バッファ７２の使用量を示すカウント値ＣＮＴが上限判定値Ｒｏｖに達した場合には、転送制御信号ＴＣをロー・レベルとし、メモリ制御部７１がデジタル音声情報ＡＦｄをメモリ８から読み出して入力バッファ７２に転送する転送動作を停止させ、カウント値ＣＮＴが下限判定値Ｒｕｎに達した場合には、転送制御信号ＴＣをハイ・レベルとし、当該転送動作を再開させることによって、エンコーダ７３をワーストケースに応じた高い動作周波数で動作させる必要がなく、消費電流を抑えることができる。
【００４６】
また、音声情報生成部４が光ディスク１に記録されている記録情報を読み出してデジタル音声情報ＡＦｄを生成することによって、光ディスク１に記録されている音声情報に基づいて、圧縮音声情報ＡＦｅを記録媒体９に直接記録することができる。
【００４７】
また、音声情報生成部４が光ディスク１から記録情報を１倍速より速い速度で読み出してデジタル音声情報ＡＦｄを生成することによって、光ディスク１に記録されている音声情報に基づいて、より短時間で圧縮音声情報ＡＦｅを記録媒体９に記録することができる。
【００４８】
また、音声情報生成部４がマイクロホン１２に入力される音声に応じてデジタル音声情報ＡＦｄを生成することによって、ＩＣレコーダやデジタルボイスレコーダなどと呼ばれる音声情報記録装置においても、エンコーダ７３をワーストケースに応じた高い動作周波数で動作させる必要がなく、消費電流を抑えることができる。
【００４９】
また、記録媒体９をフラッシュメモリとすることによって、光ディスク再生装置から携帯型オーディオプレーヤのフラッシュメモリに圧縮音声情報ＡＦｅを直接記録する音声情報記録装置、または、ＩＣレコーダやデジタルボイスレコーダなどと呼ばれる音声情報記録装置を、消費電流を抑えた構成で実現することができる。
【００５０】
なお、上記実施形態は、本発明の理解を容易にするためのものであり、本発明を限定して解釈するためのものではない。本発明は、その趣旨を逸脱することなく、変更、改良され得るととともに、本発明にはその等価物も含まれる。
【００５１】
上記第１実施形態では、一例として、光ディスク１がＣＤ−ＤＡ規格の光ディスクである場合の音声情報生成部４の構成および動作について説明したが、これに限定されるものではない。例えばＤＶＤ規格の光ディスクのように、光ディスク１には、音声情報が映像情報とともに記録されていてもよい。
【００５２】
上記第１実施形態では、デジタル音声情報ＡＦｄは、音声情報記録部７に入力されるとともに、オーディオ処理部５にも入力され、アナログ音声信号ＡＦａに変換されたうえで、スピーカ６から音声として出力されているが、これに限定されるものではない。特に、音声情報生成部４が光ディスク１から記録情報を１倍速より速い速度で読み出す場合には、聞き取れない、または耳障りな音声がスピーカ６から出力される場合もあるため、当該読み出し速度に応じて消音する構成としてもよい。また、オーディオ処理部５およびスピーカ６を有しない、記録媒体９への圧縮音声情報ＡＦｅの記録に特化した構成としてもよい。
【００５３】
上記実施形態では、一例として、記録媒体９はフラッシュメモリとなっているが、これに限定されるものではない。前述したように、近年フラッシュメモリを記録媒体とする携帯型オーディオプレーヤが普及しているが、本発明の音声情報記録装置において、記録媒体９は、ハードディスクドライブなどの磁気ディスクやＭＤ（登録商標）などの光磁気ディスクであってもよい。
【符号の説明】
【００５４】
１        光ディスク
２        スピンドルモータ
３        ピックアップ
４、１３  音声情報生成部
５        オーディオ処理部
６        スピーカ
７        音声情報記録部
８        メモリ
９        記録媒体
１０      マイクロコンピュータ
１１      表示装置
１２      マイクロホン
４１      ＲＦ（高周波）信号生成部
４２      エラー信号生成部
４３      サーボ制御部
４４      ＥＦＭ復調部
４５      誤り訂正部
４６      サブコード検出部
５１      メモリ制御部
５２      ＤＡ（デジタル・アナログ）変換部
５３      メモリ
７１      メモリ制御部
７２      入力バッファ
７３      エンコーダ
７４      転送制御部
７４１、７４２    コンパレータ（比較器）
７４３    ＲＳＦＦ（ＲＳ型フリップフロップ）
７４４    ＮＡＮＤ回路（否定論理積回路）
７４５    ＡＮＤ回路（論理積回路）
【図１】
2010198671.tif 000003
【図２】
2010198671.tif 000004
【図３】
2010198671.tif 000005
【図４】
2010198671.tif 000006
【図５】
2010198671.tif 000007
【図６】
2010198671.tif 000008
【図７】
2010198671.tif 000009